(57)【要約】      （修正有）【課題】集合住宅などに住む居住者の意思に応じて柔軟にかご位置表示装置を非表示に設定可能とし、居住者の不安を取り除いてエレベータの効率のよい運転を確保する簡易な構成のエレベータ防犯システムを提供する。【解決手段】外部から侵入可能な基準階６のホールから居住者Ａを乗せて当該居住者の居住階に走行制御するものであって、乗りかご４内のかご操作パネル９を含むパネル９近傍に設けられ、居住者が所持する鍵１６を用いて所定の操作を行ったときにキー信号を出力するキースイッチと、少なくとも１階などの基準階６のホールドア７近傍に設置され、乗りかご走行時のかご位置を表示するかご位置表示装置１８と、キースイッチからキー信号を受け取った場合、かご位置表示装置１８を非表示とするエレベータ制御装置１とを設けたエレベータ防犯システムである。【選択図】図１
2006264819.tif 000002
【特許請求の範囲】
【請求項１】
建物に居住する居住者が外部侵入可能な基準階のホールから乗りかごに乗り込んで居住階へのかご呼び登録を行ったとき、当該居住者の居住階に走行制御するエレベータシステムにおいて、
前記乗りかご内のかご操作パネル又は当該乗りかごの適宜な個所に設けられ、前記居住者が所持する鍵を用いて所定の操作を行ったときにキー信号を出力するキースイッチと、
少なくとも前記基準階のホールドア近傍に設置され、前記乗りかご走行時のかご位置を表示するかご位置表示装置と、
前記キースイッチからキー信号を受け取った場合、前記かご位置表示装置を非表示とする制御手段と
を備えたことを特徴とするエレベータ防犯システム。
【請求項２】
建物に居住する居住者が外部侵入可能な基準階のホールから乗りかごに乗り込んで居住階へのかご呼び登録を行った後、当該居住者の居住階に走行制御するエレベータシステムにおいて、
前記乗りかご内のかご操作パネル又は当該乗りかごの適宜な個所に設けられ、前記居住者が所持する防犯用カードをセットした際にカード情報を読み取って出力するカードリーダと、
少なくとも前記建物に居住する居住者データを記憶する記憶手段と、
少なくとも前記基準階のホールドア近傍に設置され、前記乗りかご走行時のかご位置を表示するかご位置表示装置と、
前記カードリーダからカード情報を受け取った場合、当該カード情報に基づき、前記居住者データ記憶手段に記憶される居住者データを参照して真正な居住者と判断したとき、前記かご位置表示装置を非表示とする制御手段と
を備えたことを特徴とするエレベータ防犯システム。
【請求項３】
建物に居住する居住者が外部侵入可能な基準階のホールから乗りかごに乗り込んで居住階へのかご呼び登録を行った後、当該居住者の居住階に走行制御するエレベータシステムにおいて、
前記乗りかご内のかご操作パネル又は当該乗りかごの適宜な個所に設けられ、前記居住者が所持する防犯用カードをセットした際にカード情報を読み取って出力するカードリーダと、
建物に居住する居住者データ、非表示の有無及び非表示設定階データを記憶する記憶手段と、
少なくとも前記基準階のホールドア近傍に設置され、前記乗りかご走行時のかご位置を表示するかご位置表示装置と、
前記カードリーダから複数の居住者のカード情報を受けた場合、当該複数の防犯用カードのカード情報から前記記憶手段に記憶される非表示有りの居住者データのうち、最も下位居住階の居住者データの前記非表示設定階データに基づいて前記かご位置表示装置を非表示とする手段と、かご呼び登録された複数の居住者の下位居住階から順次上位居住階に前記乗りかごを走行運転する場合、下位居住階の次の上位居住階による居住者データの前記非表示設定階データを判断しながら前記かご位置表示装置の非表示を続けていく手段とを有する制御手段と
を備えたことを特徴とするエレベータ防犯システム。
【請求項４】
建物に居住する居住者が外部侵入可能な基準階のホールから乗りかごに乗り込んで居住階へのかご呼び登録を行った後、当該居住者の居住階に走行制御するエレベータシステムにおいて、
前記乗りかご内のかご操作パネル又は当該乗りかごの適宜な個所に設けられ、前記居住者が所持する防犯用カードをセットした際にカード情報を読み取って出力するカードリーダと、
建物に居住する居住者データ、非表示の有無及び非表示設定階データを記憶する記憶手段と、
少なくとも前記基準階のホールドア近傍に設置され、前記乗りかご走行時のかご位置を表示するかご位置表示装置と、
前記カードリーダから複数の居住者のカード情報を受けた場合、当該複数の防犯用カードのカード情報に基づき、前記記憶手段に記憶される非表示有りの居住者データの中から最も上位居住階の居住者データの非表示設定階データを優先し、前記かご位置表示装置を非表示とする制御手段と
を備えたことを特徴とするエレベータ防犯システム。
【請求項５】
建物に居住する居住者が外部侵入可能な基準階のホールから乗りかごに乗り込んで居住階へのかご呼び登録を行った後、当該居住者の居住階に走行制御するエレベータシステムにおいて、
前記乗りかご内のかご操作パネル又は当該乗りかごの適宜な個所に設けられたダミーボタンと、
前記かご操作パネルに設けられた行先階登録ボタンと、
少なくとも前記基準階のホールドア近傍に設置され、前記乗りかご走行時のかご位置を表示するかご位置表示装置と、
前記ダミーボタンの操作信号と前記行先階呼び登録ボタンの操作による行先階呼び信号とを受けたことを条件とし、前記かご位置表示装置を非表示とする制御手段と
を備えたことを特徴とするエレベータ防犯システム。
【請求項６】
請求項１ないし請求項５の何れか一項に記載のエレベータ防犯システムにおいて、
ホールドアの上部に案内表示装置を設け、
前記制御手段は、前記かご位置表示装置を非表示とする時間の間、当該案内表示装置にエレベータ運転中であることを告知することを特徴とするエレベータ防犯システム。
【請求項７】
請求項１ないし請求項５の何れか一項に記載のエレベータ防犯システムにおいて、
予め所定の時間又は所定の時間帯に達したとき、非表示制御信号を出力する時間計を設け、
前記制御手段は、前記時間計から非表示制御信号を受けた場合、所定の時間経過するまで前記かご位置表示装置を非表示とし、前記所定の時間経過後には前記かご位置表示装置を非表示とすることを特徴とするエレベータ防犯システム。
【請求項８】
請求項１ないし請求項７の何れか一項に記載のエレベータ防犯システムにおいて、
基準階のホールに当該ホール内を視野とする防犯カメラを設置し、
前記制御手段は、前記かご位置表示装置を非表示とする処理に拘らず、前記防犯カメラの映像から基準階のホール内に人が存在しない場合、前記非表示とする処理を解除することを特徴とするエレベータ防犯システム。
【発明の詳細な説明】
【技術分野】
【０００１】
本発明は、集合住宅（マンション）などの居住者の居住場所を特定できないようにするエレベータ防犯システムに関する。
【背景技術】
【０００２】
近年、外部侵入者となる男性が集合住宅などに住む女性を後追い(ストーカー)し、女性がエレベータを利用した際にその女性の降りた階や居住場所（部屋番号）を特定し、後日犯罪に及ぶケースが多発している。女性の居住階や居住場所の特定は、外部侵入者が外部から侵入可能な階（以下、例えば１階などの基準階と呼ぶ）のホールに一時的にとどまり、女性がエレベータを利用した際に基準階のホールドア近傍に設置されるかご位置表示装置からエレベータの到着階を確認し、女性の居住階や居住場所を特定する場合が多い。
【０００３】
そのため、一人暮らしの女性の一般的な防御策としては、エレベータを利用する際にあえて他の階のかご呼び登録をつくって乗りかごを呼び登録階に停止させた後、階段を利用するとか、再度自身の居住階に向かうためのホール呼びを行い、居住階に移動するなどの方法をとっている。従って、エレベータの効率のよい運転に支障をきたす原因にもなっている。
【０００４】
そこで、従来、各階床のホール又は乗りかご内にエレベータ利用者を認証する認証処理手段を設置し、エレベータ利用者による認証操作のもとに真正な居住者と認証されたとき、データベースに居住者ごとに設定されている非表示に基づき、基準階に設置されるかご位置表示装置を非表示とする処理を行うエレベータのかご位置表示方法が提案されている（特許文献１）。
【特許文献１】特開２００２−３２６７７５号（図２参照）
【発明の開示】
【発明が解決しようとする課題】
【０００５】
しかしながら、以上のようなかご位置表示方法は、エレベータ利用者が認証用入力装置及び認証処理手段によって真正な居住者と認証された場合、データベースに設定される居住者ごとの表示又は非表示に従って自動的にかご位置表示装置を表示又は非表示とする方法であるので、エレベータの防犯効果を上げることができるが、一方、次のような問題が指摘されている。
【０００６】
すなわち、このかご位置表示方法は、データベースの表示・非表示設定に従ってかご位置表示装置を表示・非表示とするので、既にかご位置表示を設定している居住者が時間帯その他の要因によって非表示としたい場合、その要求に柔軟に対応できない問題がある。
【０００７】
また、このかご位置表示方法は、各階床のホールなどに認証入力装置を設置しなければならず、しかも比較的大掛かりシステムな構成となり、コスト増を招く問題がある。
【０００８】
本発明は以上のような事情に鑑みてなされたもので、集合住宅などに住む居住者の意思に応じて柔軟にかご位置表示装置を非表示に設定可能とし、居住者の不安を取り除いてエレベータの効率のよい運転を確保する簡易な構成のエレベータ防犯システムを提供することを目的とする。
【課題を解決するための手段】
【０００９】
（１）  上記課題を解決するために、本発明は、建物に居住する居住者が外部侵入可能な基準階のホールから乗りかごに乗り込んで居住階へのかご呼び登録を行ったとき、当該居住者の居住階に走行制御するエレベータシステムであって、前記乗りかご内のかご操作パネル又は当該乗りかごの適宜な個所に設けられ、前記居住者が所持する鍵を用いて所の操作を行ったときにキー信号を出力するキースイッチと、少なくとも前記基準階のホールドア近傍に設置され、前記乗りかご走行時のかご位置を表示するかご位置表示装置と、前記キースイッチからキー信号を受け取った場合、前記かご位置表示装置を非表示とする制御手段とを設けたエレベータ防犯システムである。
【００１０】
この発明は以上のような構成とすることにより、かご操作パネルなどに設置されるキースイッチを操作するだけで、少なくとも基準階のホールドア近傍にかご位置表示装置を非表示とすることにより、居住者の到着階ないし居住場所を特定し難くすることができ、簡易な構成で居住者の不安を取り除くとともに、エレベータの効率のよい運転を確保できる。
【００１１】
（２）  また、本発明は、乗りかご内のかご操作パネル又は当該乗りかごの適宜な個所に設けられ、前記居住者が所持する防犯用カードをセットした際にカード情報を読み取って出力するカードリーダと、少なくとも前記建物に居住する居住者データを記憶する記憶手段と、少なくとも前記基準階のホールドア近傍に設置され、前記乗りかご走行時のかご位置を表示するかご位置表示装置と、前記カードリーダからカード情報を受け取った場合、当該カード情報に基づき、前記居住者データ記憶手段に記憶される居住者データを参照して真正な居住者と判断したとき、前記かご位置表示装置を非表示とする制御手段とを設けたエレベータ防犯システムである。
【００１２】
この発明によれば、かご操作パネルなどにキースイッチに代えてカードリーダを設置することにより、前記（１）と同様の作用効果を奏することができる。
【００１３】
（３）  さらに、本発明は、乗りかご内のかご操作パネル又は当該乗りかごの適宜な個所に設けられ、前記居住者が所持する防犯用カードをセットした際にカード情報を読み取って出力するカードリーダと、建物に居住する居住者データ、非表示の有無及び非表示設定階データを記憶する記憶手段と、少なくとも前記基準階のホールドア近傍に設置され、前記乗りかご走行時のかご位置を表示するかご位置表示装置と、前記カードリーダから複数の居住者のカード情報を受けた場合、当該複数の防犯用カードのカード情報から前記記憶手段に記憶される非表示有りの居住者データのうち、最も下位居住階の居住者データの前記非表示設定階データに基づいて前記かご位置表示装置を非表示とする手段と、かご呼び登録された複数の居住者の下位居住階から順次上位居住階に前記乗りかごを走行運転する場合、下位居住階の次の上位居住階による居住者データの前記非表示設定階データを判断しながら前記かご位置表示装置の非表示を続けていく手段とを有する制御手段とを設けたエレベータ防犯システムである。
【００１４】
この発明によれば、乗りかごに乗り込んだ複数の居住者のうち、２人以上の居住者がカードリーダに防犯用カードをセットした場合、下位居住階の居住者の非表示設定データ及び非表示設定階データに従ってかご位置表示装置の非表示とする一方、当該下位居住階の居住者が下位の居住下位に降りた後、引き続き、次上位居住階の居住者が非表示設定データを設定している場合、予め設定する非表示設定階に到着した後までかご位置表示装置の非表示を継続させることが可能である。
【００１５】
なお、乗りかごに乗り込んだ複数の居住者のうち、２人以上の居住者がカードリーダに防犯用カードをセットした場合、最上位居住階の居住者の非表示設定データ及び非表示設定階データを優先し、かご位置表示装置を非表示とすることができる。
【００１６】
（４）  さらに、本発明は、乗りかご内のかご操作パネル又は当該乗りかごの適宜な個所に設けられたダミーボタンと、前記かご操作パネルに設けられた行先階登録ボタンと、少なくとも前記基準階のホールドア近傍に設置され、前記乗りかご走行時のかご位置を表示するかご位置表示装置と、前記ダミーボタンの操作信号と前記行先階呼び登録ボタンの操作による行先階呼び信号とを受けたことを条件とし、前記かご位置表示装置を非表示とする制御手段とを設けたエレベータ防犯システムである。
【００１７】
この発明においても、ダミーボタンと既に常備されているかご操作パネルの行先階呼び登録ボタンを操作するだけで、基準階のホールに設置されるかご位置表示装置を非表示とすることが可能である。
【００１８】
（５）  さらに、本発明は、かご位置表示装置を非表示とする時間の間、ホールドアの上部に設けた案内表示装置にエレベータ運転中であることを告知することにより、基準階のホールに待機するエレベータ利用者は、エレベータが正常に動作していることを認識可能であり、サービスの低下を抑えることが可能である。
【００１９】
また、本発明は、予め所定の時間又は所定の時間帯に達したとき、非表示制御信号を出力する時間計を設け、制御手段が、時間計から非表示制御信号を受けた場合、所定の時間経過するまで前記かご位置表示装置を非表示とし、前記所定の時間経過後には前述する何れかの構成を用いて、かご位置表示装置を非表示とすることもできる。
【００２０】
さらに、本発明は、基準階のホールに当該ホール内を視野とする防犯カメラが設置されている場合、防犯カメラの映像から基準階のホール内に人がいない場合、かご位置表示装置の非表示を解除することもできる。
【発明の効果】
【００２１】
本発明によれば、集合住宅などに住む居住者の意思に応じて柔軟にかご位置表示装置を非表示とすることができ、居住者の不安を取り除いてエレベータの効率のよい運転を確保する簡易な構成のエレベータ防犯システムを提供できる。
【発明を実施するための最良の形態】
【００２２】
以下、本発明の実施の形態について図面を参照して説明する。
【００２３】
（第１の実施の形態）
図１ないし図２は本発明に係るエレベータ防犯システムの第１の実施形態を示す構成図である。図１は本発明に係るエレベータ防犯システムを適用したエレベータシステムの構成図、図２は乗りかご内のかご操作パネルの機器配置例図である。
【００２４】
エレベータシステムは、エレベータを運行制御するエレベータ制御装置１と、このエレベータ制御装置１から出力される所定の電力を受けて回転駆動する巻上機２とが設けられている。巻上機２には主索３が巻き掛けられ、当該主索３の一端部には乗りかご４が吊り下げられ、また主索３の他端部には釣り合いおもり５が吊り下げられている。６は外部から出入り可能な１階などの基準階、７は基準階６に設置されるホールドア、８はホールドア７の一側近傍壁などに設置されるホール操作パネルである。
【００２５】
以上のようなエレベータシステムでは、図２に示すように乗りかご４のかごドア４ａ一側部側に配置される側板４ｂにはかご操作パネル９が設けられ、また乗りかご４の上部には乗りかご４の現在位置、移動方向、運転状態を表示するかご案内表示装置１０が設けられている。
【００２６】
かご操作パネル９には、ドア開閉ボタン１１、集合集宅などに住む居住者が居住階に移動させるために行先階呼び操作を行う行先階呼び登録ボタン１２、乗客が必要なときに通話用ボタン操作のもとに乗りかご１外部と通話を行うためのインターホンなどの音声通話手段１３、緊急避難時などに管理人室やサービスセンターからエレベータ主制御装置１を介して乗客に必要な音声信号を通報するスピーカなどの音声発生手段１４が設けられている。
【００２７】
ところで、本発明に係るエレベータ防犯システムにおいては、かご操作パネル９又は当該パネル９近傍の側板４ｂにキースイッチ１５が取付けられている。キースイッチ１５は、常時は開状態にあり、集合住宅などに住む居住者が所持する鍵１６をキースイッチ１５に挿入し、所定の操作を行ったとき閉回路が形成され、電気的なキー信号をエレベータ制御装置１に送信する。
【００２８】
一方、基準階６のホール操作パネル８には、ホール呼び登録表示灯を収納する例えば上階方向へのホール呼びボタン１７及び乗りかご４の走行中及び到着階のかご位置を表示するかご位置表示装置１８が取付けられている。なお、ホールドア７上部にかご位置を表示する案内表示装置１９を設置する場合もある。よって、かご位置表示装置１８とは、当該かご位置表示装置１８及び案内表示装置１９の何れか１つを指すものとする。
【００２９】
また、基準階６を除く上階となる各階床のホールのホール操作パネル８には、エレベータのホール呼び登録表示灯を収納する例えば上下階方向へのホール呼びボタン（図示せず）及びかご位置表示装置（図示せず）のうち、少なくともホール呼びボタンが設けられている。
【００３０】
次に、以上のようなエレベータ防犯システムの動作について説明する。  
集合住宅などに住む居住者Ａは、図１（ａ）に示すようにエレベータの乗りかご４に乗り込んだ後、未だ乗りかご４に乗り込まずに基準階６に他の人（ア）が居る場合とか、或いは自身Ａの意思のもとにかご移動中の中間階を含む居住階のかご位置表示を非表示としたい場合、自身Ａが所持する鍵１６をかご操作パネル９などに設けたキースイッチ１５に挿入して所定の操作を行うとともに、目的とする居住階に対応する行先階呼び登録ボタン１２を操作して行先階呼び信号を送出する。
【００３１】
居住者Ａが鍵１６を用いて所定の操作を行うと、キースイッチ１５からキー信号が出力され、エレベータ制御装置１に送信する。
【００３２】
ここで、エレベータ制御装置１は、キースイッチ１５からキー信号を受けると、予め定めた階床，例えば外部侵入者が侵入可能な少なくとも基準階６に設置されるかご位置表示装置１８を非表示とする処理を行う。さらに、エレベータ制御装置１は、乗りかご４に乗り込んだ居住者Ａが行先階呼び登録ボタン１２を操作し、行先階呼び信号に基づいて行先階呼び登録を実施し、居住者Ａの居住階である例えば５階に向けてエレベータの乗りかご４を走行制御する。
【００３３】
乗りかご４が居住者Ａの居住階である例えば５階に到着した後、居住者Ａが当該５階で降りる（図１（ｂ）参照）。乗りかご４が少なくとも走行中および居住階に到着している間、基準階６のかご位置表示装置１８は消灯した状態となっているので、基準階６に居る他の人（ア）は、居住者Ａがどの階に降りたのか特定できない。なお、予め設定されていない基準階６を除く他の階床のかご位置表示装置（例えば図１（ｂ）の１８−５など）は乗りかご４が何れの階を走行しているかを表示している。
【００３４】
そして、乗りかご４は、居住者Ａの居住階に到着した後、他の階への呼び登録がない限り、基準階６に戻り、かごドア４ａを開とする。エレベータ制御装置１は、かごドア４ａのドア開信号を受けると、基準階６に設置されるかご位置表示装置１８の消灯処理を解除し、通常の表示可能な状態に復帰させる（図１（ｃ）参照）。
【００３５】
従って、以上のような実施の形態によれば、エレベータの走行時間帯に関係なく各居住者自身の意思のもとに基準階６のかご位置表示装置１８を非表示として乗りかご４を利用できるので、簡単な構成で柔軟にかご位置表示装置１８の表示・非表示に変更でき、居住者の不安を取り除きつつエレベータを効率的に運転することができる。
【００３６】
なお、上記実施の形態は、居住者Ａが目的とする居住階に対応する行先階呼び登録ボタン１２を操作した後、自身Ａが所持する鍵１６をかご操作パネル９などに設けたキースイッチ１５に挿入して所定の操作を行う構成であっても構わない。すなわち、キースイッチ１５及び行先階呼び登録ボタン１２の何れを先に操作するかは任意である。
【００３７】
（第２の実施の形態）
図３は本発明に係るエレベータ防犯システムの第２の実施形態を示す構成図である。  
このエレベータ防犯システムは、図１及び図２とほぼ同様な構成であるので、同一部分には同一の符号を付し、詳しくは図１及び図２に譲る。
【００３８】
エレベータ防犯システムにおいて、特に異なるところは、かご操作パネル９又はパネル９近傍にキースイッチ１５に代えてカードリーダ２１を設け、また集合住宅などに住む居住者全員或いは希望する任意の居住者に防犯用カード２２を発行し所持させるものとする。
【００３９】
さらに、エレベータ制御装置１にはデータベース２３が接続されている。このデータベース２３には、少なくとも集合住宅などに住む居住者の氏名、各居住者ごとにかご位置表示装置１８を非表示するか否かの非表示有無設定及び非表示設定の場合には非表示設定階が設定されている。さらに、データベース２３には必要に応じて各居住者氏名ごとに居住階が設定されている。
【００４０】
エレベータ制御装置１は、カードリーダ２１で読み取るカード情報とデータベース２３に登録される設定情報とを用いて、図４に示すような処理を実行する。その他の構成については図１及び図２と同様であるので省略する。
【００４１】
次に、以上のようなエレベータ防犯システムの動作について説明する。  
（１）  防犯用カード２２をセットしたエレベータ利用者が真正な居住者である場合、一律にかご位置表示装置１８を非表示とする例について。
【００４２】
集合住宅などに住む居住者Ａは、図１（ａ）に示すようにエレベータの乗りかご４に乗り込んだ後、未だ乗りかご４に乗り込まずに基準階６に他の人（ア）が居る場合とか、或いは居住者Ａが自身の意思によってかご移動中の中間階を含む居住階のかご位置表示を非表示としたい場合、居住者Ａが所持する防犯用カード２２をカードリーダ２１にセットするととともに、居住者Ａの居住階に対応する行先階呼び登録ボタン１２を操作して行先階呼び信号を送出する。
【００４３】
エレベータ制御装置１は、カードリーダ２１から居住者氏名データを含んだ防犯用カード情報を受け取ると、データベース２３に記憶される居住者氏名と防犯用カード情報とを比較し、真正な居住者であると判断したとき、基準階６に設置するかご位置表示装置１８を非表示とする処理を行う。
【００４４】
また、エレベータ制御装置１は、かご操作パネル９から行先階呼び信号を受けると、行先階呼び登録処理を行い、居住者Ａの居住階である例えば５階に向けてエレベータの乗りかご４を走行制御する。エレベータ制御装置１による乗りかご４の運転後の処理は第１の実施の形態と同じであるので省略する。
【００４５】
この実施の形態によれば、集合住宅などの居住者のうち、防犯を必要とする居住者Ａが自身の所持する防犯用カード２２をカードリーダ２１にセットした際に読み取ったカード情報から真正な居住者であるか否かを判断し、真正な居住者であればかご位置表示装置１８の非表示処理を実施するので、居住者の意思に基づいて任意にかご位置表示装置１８を非表示とすることができる。よって、簡単な構成を採用し、かご位置表示装置１８を柔軟に表示・非表示に変更でき、居住者の不安を取り除きつつエレベータを効率的に運転できる。
【００４６】
（２）  複数人の居住者が非表示を要求した場合の非表示の処理について（図４参照）。
【００４７】
集合住宅などに住む居住者Ａは、図１（ａ）に示すようにエレベータの乗りかご４に乗り込んだ後、未だ乗りかご４に乗り込まずに基準階６に他の人（ア）が居る場合とか、或いは居住者Ａ自身の意思のもとにかご移動中の中間階を含む居住階のかご位置表示を非表示としたい場合、居住者Ａが所持する防犯用カード２２をかご操作パネル９などに設けたカードリーダ２１にセットするとともに、目的とする居住階に対応する行先階呼び登録ボタン１２を操作して行先階呼び信号を送出する。なお、行先階呼び登録ボタン１２の操作と防犯用カード２２のカードリーダ２１へのセットとの順番は何れを先とするかは任意である。
【００４８】
居住者Ａが防犯用カード２２をセットすると、カードリーダ２１は防犯用カード２２に記憶されるカード情報，少なくとも集合住宅などに居住する居住者氏名情報を読み出してエレベータ制御装置１に送信する。さらに、かご操作パネル９においては、乗りかご４に乗り込んだ居住者Ａが行先階呼び登録ボタン１２を操作したとき、行先階呼び信号をエレベータ制御装置１に送信する。ここで、エレベータ制御装置１は図４に示すような処理を実行する。
【００４９】
すなわち、エレベータ制御装置１は、所定の周期ごとにカード情報を受信したか否かを判断し（Ｓ１）、カード情報を受信していないと判断された場合には行先階呼び信号を受けているか否かを判断する（Ｓ２）。エレベータ制御装置１は、ステップＳ１において、カード情報を受信したと判断した場合には当該カード情報を適宜なメモリに格納する（Ｓ３）。ここで、複数の居住者Ａ，Ｂ，Ｃが防犯用カード２２をカードリーダ２１にセットした場合、それら全ての防犯用カード２２のカード情報を読み取って前述と同様にメモリに格納した後（Ｓ４，Ｓ３）、ステップＳ２に移行し、行先階呼び信号を受けているか否かを判断する（Ｓ２）。ここで、行先階呼び信号を受けている場合には当該居住者の居住階呼び登録処理を行い（Ｓ５）、引き続き、次の居住者の行先階呼び信号を受けているかを判断し（Ｓ６）、全部の行先階呼び信号に基づく居住階呼び登録処理を実行する（Ｓ５，Ｓ６）。
【００５０】
しかる後、エレベータ制御装置１は、下位居住階から上位居住階の順序に従い、前述したメモリに記憶される居住者氏名に基づき、、データベース２３の設定内容を参照し、下位居住階に住む居住者Ｂが非表示を設定しているか否かを判断し（Ｓ７）、非表示を設定していない場合には次上階に住む居住者Ａが非表示を設定しているか否かを判断する（Ｓ８）。何れかの居住階に住む居住者が非表示設定階を設定している場合、当該居住者氏名に基づいてデータベース２３に設定される非表示設定階のかご位置表示装置１８，…を非表示とする処理を実行する（Ｓ９）。
【００５１】
エレベータ制御装置１は、非表示処理を実施した後、前記呼び登録に基づいて居住者Ｂの下位居住階３階に向けてエレベータの乗りかご４を走行制御する（Ｓ１０）。
【００５２】
エレベータ制御装置１は、乗りかご４が居住者Ｂの居住階３に到着すると（Ｓ１１）、かごドア開制御を実施し（Ｓ１２，Ｓ１３）、かごドアが完全にドア開となったときに居住者Ｂが図１（ｂ）に示すように居住階で降りる。このとき、乗りかご４が少なくとも走行中および居住階に到着されている間、少なくとも基準階６を含む非表示設定階のかご位置表示装置１８，…を非表示状態とするので、少なくとも基準階６に居る他の人（ア）は、居住者Ｂがどの階に降りたかを特定することができない。
【００５３】
そして、エレベータ制御装置１は、ドア開後所定時間経過後にドア閉信号を受けると（Ｓ１４）、他の居住者によるかご呼び登録有りかを判断し（Ｓ１５）、他の居住者によるかご呼び登録があれば、引き続き、行先階呼び登録を行った他の居住者とは関係なく下位居住階３階に続く上位の居住階５階に住む居住者Ａが非表示と設定しているか否かを判断し（Ｓ１６）、非表示と設定している場合には再度データベース２３の当該居住者Ａの氏名に対応する非表示設定階に基づいて非表示を続ける（Ｓ１７）。つまり、引き続き、５階に住む居住者Ａのために非表示とする。例えば居住者ＢとＣとがカード２２を設定した場合には、居住者Ｂが３階で降りた後、居住者Ｃが非表示を設定していないので、任意のタイミング，例えば７階に走行中にかご位置表示装置１７の非表示を解除する。
【００５４】
また、エレベータ制御装置１は、ステップＳ１５において、他の居住者によるかご呼び登録が無いと判断した場合、基準階に向けて走行制御を実施する（Ｓ１８）。そして、エレベータ制御装置１は、乗りかご４が基準階に到着したとき、又は乗りかご４が基準階に到着してかごドアが完全にドア開となったとき（Ｓ１９）、かご位置表示装置１８の表示復帰処理を実施する（Ｓ２０）。
【００５５】
従って、以上のような実施の形態によれば、エレベータの乗りかご４に複数人の居住者が乗り込んだ後に２人以上の居住者が自身の所持する防犯用カード２２をカードリーダ２１にセットした場合、下位居住階に住む居住者の非表示有りのもとに設定される非表示設定階の範囲でかご位置表示装置１８を非表示とするので、居住者の要求に応じて柔軟に対応でき、また基準階に待機する外部侵入者は各居住者が何れの階で降りたのか全く特定できない状態となり、防犯効果を高めることができる。
【００５６】
（３）  複数人の居住者が非表示を要求した場合の優先非表示処理について（図５参照）。
【００５７】
乗りかご４に乗り込んだ複数人の居住者は、自身の所持する防犯用カード２２をかご操作パネル９などに設けたカードリーダ２１にセットするとともに、目的とする居住階に対応する行先階呼び登録ボタン１２を操作して行先階呼び信号を送信した場合、エレベータ制御装置１は、図４のステップＳ１〜Ｓ６と同様な処理を実施し、乗りかご４に乗り込んだ居住者のかご呼び登録処理及び防犯用カード２２のカード情報を取得する。
【００５８】
さらに、エレベータ制御装置１は、ステップＳ６からステップＳ２１に移行し、ここで非表示を要求した全部の非表示設定階のうち、最も上の居住階にすむ居住者の非表示設定階を優先し、当該非表示設定階に基づいてかご位置表示装置１８を非表示とする処理を実行する（Ｓ２１，Ｓ２２）。
【００５９】
しかる後、エレベータ制御装置１は、図４と同様に上の居住階に向けて走行制御し（Ｓ１０）、居住者の居住階到着（Ｓ１１）、かごドア開制御（Ｓ１２）、かごドア全開制御（Ｓ１３）を実行する。そして、エレベータ制御装置１は、ドア閉制御後、次上階呼び登録階有りかを判断し（Ｓ２３）、次上階呼び登録階があればステップＳ１０に戻って同様の処理を実行し、次上階呼び登録階が無ければ、図４と同様にステップＳ１８，Ｓ１９，Ｓ２０による処理を実行し、エレベータが基準階で待機する。
【００６０】
この実施の形態によれば、最も上の居住階に住む居住者の非表示設定階を優先し、かご位置表示装置１８を非表示とするので、上の居住階よりも下階に住む居住者についても非表示と同様の防犯効果を有し、よって居住者の不安を取り除きつつエレベータを効率的に運転できる。
【００６１】
（その他の実施の形態）
（１）  図６は本発明に係るエレベータ防犯システムのさらに他の実施形態を説明するかご操作パネルの構成図である。  
このエレベータ防犯システムは、かご操作パネル９にキースイッチ１５やカードリーダ２１に代えてダミーボタン（特殊ボタン）２５を設け、所定の取り決めのもとにかご位置表示装置１８を非表示とする。具体的には、ダミーボタン２５を操作した後、居住者の住む居住階に対応する行先階呼び登録ボタン１２を操作したとき、エレベータ制御装置１は、ダミーボタン２５の操作信号と行先階呼び登録ボタン１２の操作による行先階呼び信号を受けたことを条件とし、かご位置表示装置１８の非表示設定であると判断し、当該行先階呼び信号によるかご呼び登録時に基準階６に設置されるかご位置表示装置１８に対する非表示処理を行う。そして、エレベータ制御装置１は、居住階に向かう走行制御中及び当該エレベータが基準階６に到着する間にわたって基準階６のかご位置表示装置１８を非表示とし、乗りかご４が基準階に到着しかごドアをドア開となったときに表示復帰処理する構成であってもよい。
【００６２】
この実施の形態によれば、非常に簡単な構成を採用し、居住者の意思に基づいて即座に防犯機能を生成することができる。
【００６３】
（２）  図７は本発明に係るエレベータ防犯システムの他の実施形態を示す構成図である。
【００６４】
このエレベータ防犯システムは、例えば管理室や保守センター等に時間計３１が設置され、また、ホールドア７の上部にはランタンなどの表示装置３２が設置されている。
【００６５】
時間計３１は、任意に非表示時間帯を設定する機能を有し、非表示時間に達したとき、非表示設定信号をエレベータ制御装置１に送出する。エレベータ制御装置１は、時間計３１から非表示設定信号を受信すると、少なくとも基準階６に設置されるかご位置表示装置１８又は案内表示装置３２に対するかご位置表示を停止させ、少なくとも案内表示装置３２にエレベータが運転中であることをメッセージ表示する構成である。エレベータ制御装置１は、時間計３１から非表示設定信号を受信した後、予め定める所定時間例えば朝５時に達するまで当該非表示設定信号に基づいて基準階６に設置されるかご位置表示装置１８を非表示とする一方、案内表示装置３２に運転中のメッセージを表示し続け、所定時間経過後に自動的にもとの通常の状態に戻す処理を実施し、かご位置表示装置１８に現在かご位置を表示する。また、エレベータ制御装置１は、時間計３１から非表示解除信号を受けたとき、非表示処理を解除し、かご位置表示装置１８に現在かご位置を表示する構成であってもよい。
【００６６】
また、この実施の形態のエレベータ防犯システムは、第１、第２の実施の形態などと併用して防犯機能を果たす構成であってもよい。つまり、夜間のある時間帯だけ本実施の形態を使用し、それ以外の時間帯においては第１、第２の実施の形態により、表示・非表示を行う構成である。
【００６７】
さらに、他の実施の形態としては、通常、基準階６のホール操作パネル８にホール呼びボタン１７が組み込まれているが、エレベータ制御装置１は、基準階６のかご位置表示装置１８が非表示中に限り、当該ホール呼びボタン１７を点滅させるなどにより、現在エレベータが運行中であることを告知する構成であってもよい。
【００６８】
（３）  さらに、他の実施の形態としては、カードリーダ２１に防犯用カード２２をセットしたとき、エレベータ制御装置１は、カードリーダ２１からのカード情報に基づき、例えばデータベース２３に予め設定される居住者の非表示設定階と当該居住者の住む居住階データから非表示処理及びかご呼び登録を自動的に行うような構成であってもよい。
【００６９】
（４）  さらに、基準階６に当該基準階ホール全体を視野とする防犯カメラを設置し、前述した各実施の形態によって基準階６のかご位置表示装置１８を非表示とした後、前記防犯カメラで撮影される映像から基準階ホールに他の人がいるか否かを判断し、他の人が居ないことを条件とし、例えば居住者が居住階に降りてドア閉し、他の上階走行時または基準階のリターン走行時に表示復帰処理を実施する構成であってもよい。
【００７０】
これにより、基準階６のかご位置表示装置１８の非表示時間が少なくなり、サービスの低下を低減することが可能となる。
【００７１】
なお、本発明は、上記実施の形態に限定されるものでなく、その要旨を逸脱しない範囲で種々変形して実施できる。また、各実施の形態は組み合わせて実施することが可能であり、その場合には組み合わせによる効果が得られる。
【図面の簡単な説明】
【００７２】
【図１】本発明に係るエレベータ防犯システムの第１の実施形態を説明するエレベータシステムの構成図。
【図２】乗りかご内に設置させるかご操作パネルの取付け部品を説明する図。
【図３】本発明に係るエレベータ防犯システムの第２の実施形態を説明するエレベータシステムの構成図。
【図４】図３に示すエレベータ制御装置の動作例を説明する図。
【図５】図３に示すエレベータ制御装置の他の動作例を説明する図。
【図６】本発明に係るエレベータ防犯システムの他の実施の形態を説明するかご操作パネルの取付け部品を説明する図。
【図７】本発明に係るエレベータ防犯システムのさらに他の実施の形態を示す構成図。
【符号の説明】
【００７３】
１…エレベータ制御装置、２…巻上機、４…乗りかご、６…基準階、７…ホールドア、８…ホール操作パネル、９…かご操作パネル、１２…行先階呼び登録ボタン、１５…キースイッチ、１６…鍵、１７…ホール呼びボタン、１８…かご位置表示装置、１９…案内表示装置、２１…カードリーダ、２２…防犯用カード、２３…データベース、２５…ダミーボタン、３１…時間計、３２…案内表示装置。
【図１】
2006264819.tif 000003
【図２】
2006264819.tif 000004
【図３】
2006264819.tif 000005
【図４】
2006264819.tif 000006
【図５】
2006264819.tif 000007
【図６】
2006264819.tif 000008
【図７】
2006264819.tif 000009